(57)【要約】【課題】上部材の切欠部に対して左右方向の適切な位置に操作部を配置することができる水栓カウンターを提供すること。【解決手段】水栓ユニットは押しボタン式の操作部を備えた操作ユニットを有し、上部材は操作ユニットの操作部が配置される切欠部を有し、操作ユニットは上部材に対する左右方向の相対位置を調整可能なように上部材に固定されている。【選択図】図１０
2018035566.tif 000002
【特許請求の範囲】
【請求項１】
水栓ユニットを内蔵した水栓カウンターであって、
天板を有する上部材と、
前記上部材を支持する支持材と、
前記天板の下方に配置される水栓ユニットと、
前記水栓ユニットが露出しないよう前記水栓ユニットを覆うカバーと、
を備え、
前記水栓ユニットは、押しボタン式の操作部を備えた操作ユニットを有し、
前記上部材は、前記操作部が配置される切欠部を有し、
前記操作ユニットは、前記上部材に対する左右方向の相対位置を調整可能なように前記上部材に固定されていることを特徴とする水栓カウンター。
【請求項２】
前記操作ユニットは、前記上部材に対する左右方向の相対位置を調整可能なように、前記支持材を介して前記上部材に間接的に固定されていることを特徴とする請求項１記載の水栓カウンター。
【請求項３】
前記支持材が、前記上部材に対して左右方向に相対位置を調整可能に前記上部材に固定されている、または、
前記操作ユニットが、前記支持材に対して左右方向に相対位置を調整可能に前記支持材に固定されている、
のいずれか一方のみであることを特徴とする請求項２記載の水栓カウンター。
【請求項４】
前記支持材が、前記上部材に対して左右方向に相対位置を調整可能に前記上部材に固定されていることを特徴とする請求項３記載の水栓カウンター。
【請求項５】
凸部および前記凸部と係合する凹部のいずれか一方が前記操作ユニットに設けられ、他方が前記支持材に設けられ、
前記凸部と前記凹部との係合により、前記操作ユニットは前記支持材に対して左右方向に位置決めされるよう構成されていることを特徴とする請求項４記載の水栓カウンター。
【発明の詳細な説明】
【技術分野】
【０００１】
本発明は、水栓カウンターに関する。
【背景技術】
【０００２】
従来、例えば特許文献１に開示されるように、カウンターに水栓ユニットの一部を内蔵した水栓カウンターがある。従来の水栓カウンターでは、水栓ユニットの上方側を覆う上部材に設けられた開口に押しボタンの先端側を挿通させた状態となるよう押しボタンを配置している。
【先行技術文献】
【特許文献】
【０００３】
【特許文献１】特開２００９−７９４２１号公報
【発明の概要】
【発明が解決しようとする課題】
【０００４】
しかし、上部材は、上部材上面の載置面積等を考慮し、横長に形成されることが一般的であるために、従来の水栓カウンターにおいて、例えば上部材を水栓装置本体の上部に固定する場合、上部材を樹脂で成形していると、その成形時に生じる比較的大きな横方向の寸法誤差に基づき、少なくとも押しボタンの左右のいずれか一方の側面と、開口の周縁とが接触してしまうおそれがある。このような接触は、押しボタンの操作性を大きく低下させる。これを防ぐために、上部材の開口を横方向に予め大きく設けることも考えられるが、その場合、押しボタンと開口との間に大きなクリアランスが生じてしまい、外観が悪化してしまう。
【０００５】
本発明は、上部材の切欠部に対して左右方向の適切な位置に操作部を配置することができる水栓カウンターを提供することを目的とする。
【課題を解決するための手段】
【０００６】
第１の発明の水栓カウンターは、水栓ユニットを内蔵した水栓カウンターであって、天板を有する上部材と、前記上部材を支持する支持材と、前記天板の下方に配置される水栓ユニットと、前記水栓ユニットが露出しないよう前記水栓ユニットを覆うカバーと、を備え、前記水栓ユニットは、押しボタン式の操作部を備えた操作ユニットを有し、前記上部材は、前記操作部が配置される切欠部を有し、前記操作ユニットは、前記上部材に対する左右方向の相対位置を調整可能なように前記上部材に固定されていることを特徴としている。  
第１の発明によれば、切欠部の左右幅を操作部の左右幅よりもそれほど大きくしなくても、操作部の左右の側面と切欠部の左右の側端との間に、操作部が上部材と干渉しないような適切なクリアランスを確保することができる。よって、水栓カウンターの外観を悪化させないようにしつつ、操作部の操作性が低下してしまうことを防止できる。  
第２の発明は、第１の発明において、前記操作ユニットは、前記上部材に対する左右方向の相対位置を調整可能なように、前記支持材を介して前記上部材に間接的に固定されていることを特徴とする。  
上部材に操作ユニットを直接固定した場合、操作ユニットの重量で上部材が撓み、上部材に付着した水の水はけが悪くなってしまうおそれがあるが、第２の発明によれば、通常剛性の高い材料が用いられる支持材に操作ユニットを固定しているため、そのようなおそれがない。  
第３の発明は、第２の発明において、前記支持材が、前記上部材に対して左右方向に相対位置を調整可能に前記上部材に固定されている、または、前記操作ユニットが、前記支持材に対して左右方向に相対位置を調整可能に前記支持材に固定されている、のいずれか一方のみであることを特徴とする。  
第３の発明によれば、支持材を上部材に対して左右方向に相対位置を調整する、または、操作ユニットを支持材に対して左右方向に相対位置を調整する、のいずれか一方のみを調整すればよいため、調整の手間を軽減させることができ、操作ユニットの取り付け作業性を向上できる。  
第４の発明は、第３の発明において、前記支持材が、前記上部材に対して左右方向に相対位置を調整可能に前記上部材に固定されていることを特徴とする。  
第４の発明によれば、操作ユニットに比べ簡単な構造をとりやすい支持材を、上部材に対して左右方向の相対位置を調整可能に固定しているため、位置調整をしやすい。  
第５の発明は、第４の発明において、凸部および前記凸部と係合する凹部のいずれか一方が前記操作ユニットに設けられ、他方が前記支持材に設けられ、前記凸部と前記凹部との係合により、前記操作ユニットは前記支持材に対して左右方向に位置決めされるよう構成されていることを特徴とする。  
第５の発明によれば、簡単な構造で操作ユニットを支持材に対して位置決めできる。
【発明の効果】
【０００７】
本発明の水栓カウンターによれば、外観を悪化させないようにしつつ、操作部の操作性が低下することを防止できる。
【図面の簡単な説明】
【０００８】
【図１】実施形態の水栓カウンターが壁面に取り付けられた状態を示す模式斜視図。
【図２】実施形態の水栓カウンターの前方側から見た斜視図。
【図３】実施形態の水栓カウンターの背面図。
【図４】実施形態の水栓カウンターの側面図。
【図５】実施形態の水栓カウンターの分解斜視図。
【図６】実施形態の水栓カウンターの分解斜視図。
【図７】実施形態の水栓カウンターにおける支持材の斜視図。
【図８】実施形態の水栓カウンターにおける端部支持材の斜視図。
【図９】実施形態の水栓カウンターにおける操作ユニットの斜視図。
【図１０】（ａ）は実施形態の水栓カウンターの上面図であり、（ｂ）は図１０（ａ）におけるＡ−Ａ断面部の拡大斜視図。
【図１１】実施形態の水栓カウンターの組立方法を説明するための斜視図。
【図１２】実施形態の水栓カウンターの組立方法を説明するための平面図。
【図１３】実施形態の水栓カウンターにおける天板の切欠部に対する支持材の位置決めに用いる位置決め治具の斜視図。
【図１４】実施形態の水栓カウンターの組立方法を説明するための斜視図。
【図１５】（ａ）は比較例における操作部と天板との位置関係を示す模式側面図であり、（ｂ）は実施形態における操作部と天板との位置関係を示す模式側面図。
【発明を実施するための形態】
【０００９】
以下、添付図面を参照しながら本発明の実施の形態について説明する。説明の理解を容易にするため、各図面において同一の構成要素に対しては可能な限り同一の符号を付して、重複する説明は省略する。
【００１０】
図１は、実施形態の水栓カウンター１０が壁面ＷＬに取り付けられた状態を示す模式斜視図である。
【００１１】
実施形態によれば、水栓カウンター１０は、例えば浴室１の壁面ＷＬに取り付けられる。水栓カウンター１０は、例えば、浴室１内において、洗面器などを載置するためのカウンター２の上方に設置される。浴室１内において、水栓カウンター１０の上方には、照明４が設けられている。
【００１２】
なお、水栓カウンター１０の設置場所は、浴室に限ることなく、例えば、洗面所などでもよい。水栓カウンター１０は、例えば、洗面所において洗面台の上方に取り付けてもよい。
【００１３】
本願明細書においては、水栓カウンター１０が取り付けられた壁面ＷＬから手前に向かう方向を「前方」とし、これと反対の方向を「後方」とする。また、前後方向（図１においてＹ方向）および上下方向（図１においてＺ方向）に対して垂直な方向を横方向または左右方向（図１においてＸ方向）とする。
【００１４】
図２は、水栓カウンター１０の前方側から見た斜視図である。  
図３は、水栓カウンター１０の背面図である。  
図４は、水栓カウンター１０の側面図である。  
図５は、水栓カウンター１０の前方側から見た分解斜視図である。  
図６は、水栓カウンター１０の後方側から見た分解斜視図である。
【００１５】
図２に示すように、水栓カウンター１０の外観は、上部材２０とカバー８０によって構成される。上部材２０は、天板２１と側面パネル２２ａ、２２ｂを有する。
【００１６】
上部材２０およびカバー８０は、例えば樹脂材料からなる。これら上部材２０およびカバー８０の内側の空間内に、図５、図６に示す水栓ユニット５０が内蔵されている。
【００１７】
水栓ユニット５０は、水（湯も含む）を吐止水する。天板２１の上には、例えば、ボディソープやシャンプーなどを載置することができる。このように、水栓カウンター１０は、例えば、浴室１内の水栓装置として機能するとともに、浴室カウンターとして機能する。換言すれば、水栓カウンター１０は、水栓装置とカウンターとを一体化させたものである。
【００１８】
図４に示すように、水栓カウンター１０は、上部材２０およびカバー８０が壁面ＷＬから前方に離間した状態で壁面ＷＬに取り付けられる。図３に示す後述する中央支持材３１の取付部３５が壁面ＷＬに対して固定される。水栓カウンター１０と壁面ＷＬとの間において、中央支持材３１の左右の側方に隙間が設けられる。
【００１９】
この隙間により、水栓カウンター１０のデザイン性の向上を図ることができる。また、図１に示すように、浴室１などでは水栓カウンター１０の上方に照明４が設置される場合が多い。その照明４からの光を、水栓カウンター１０と壁面ＷＬとの間の隙間に通過させ、水栓カウンター１０の下方を明るくしやすくすることもできる。
【００２０】
水栓ユニット５０は、図５、図６に示すように、操作ユニット６０、サーモユニット７０、吐水部（スパウト）６３、各種配管、止水栓などを有する。
【００２１】
操作ユニット６０は、シャワー用の操作部６１と吐水口用の操作部６２を有する。サーモユニット７０は、流量調整用の操作部７１と温度調整用の操作部７２を有する。
【００２２】
操作ユニット６０の操作部６１、６２、サーモユニット７０の操作部７１、７２、および吐水部６３は、図２に示すように、水栓カウンター１０の外部に露出している。吐水部６３は吐水口６３ａ（図１４に示す）を下方に向けている。また、水栓ユニット５０において外部配管などとの接続部も水栓カウンター１０の外部に露出される。
【００２３】
操作ユニット６０の操作部６１、６２は、例えば押しボタン式の操作部である。操作部６１、６２の前面を押しても操作可能であり、さらに操作部６１、６２の上面を押しても操作可能である。
【００２４】
その操作部６１、６２は、図５に示す天板２１に形成された切欠部２１ａ、および一対の側面パネル２２ａ、２２ｂの間の切欠部２４から外部に露出する。切欠部２４は、一対の側面パネル２２ａ、２２ｂを横方向に離間配置することで形成される。
【００２５】
天板２１と側面パネル２２ａ、２２ｂは、切欠部２１ａと切欠部２４の位置を一致させて組み合わされる。それら切欠部２１ａ、２４の上方に操作部６１、６２の上面が露出し、切欠部２１ａ、２４の前方に操作部６１、６２の前面が露出する。なお、切欠部は、操作部６１、６２の前面と上面のいずれか一方だけを露出させる構成であってもよい。
【００２６】
サーモユニット７０の操作部７１、７２は、例えば回動式の操作部である。図５に示すように、側面パネル２２ａに円弧状の切欠部２３が形成され、カバー８０の前面８１にも円弧状の切欠部８１ａが形成されている。側面パネル２２ａとカバー８０が組み合わされると、それら切欠部２３、８１ａは円形状の開口を形成する。その開口からサーモユニット７０の操作部７１、７２が外部に露出する。
【００２７】
操作ユニット６０の操作部６２の操作により、吐水部６３の吐水口６３ａからの吐止水が切り替えられる。操作ユニット６０の操作部６１の操作により、ハンドシャワーからの吐止水が切り替えられる。
【００２８】
サーモユニット７０の操作部７１の操作により、吐水口６３ａまたはハンドシャワーから吐水される水の流量が調整される。サーモユニット７０の操作部７２の操作により、吐水口６３ａまたはハンドシャワーから吐水される水の温度が調整される。
【００２９】
天板２１は例えば矩形状に形成され、天板２１の横方向の幅は前後方向の幅よりも大きい。切欠部２１ａは、天板２１の前方側に形成されている。
【００３０】
天板２１、側面パネル２２ａ、２２ｂ、および水栓ユニット５０は、図示しないネジで、支持材３０に取り付けられる。
【００３１】
図７は、支持材３０の斜視図である。
【００３２】
支持材３０は、中央支持材３１と、２つの端部支持材３２、３３とを有する。２つの端部支持材３２、３３が横方向に離間して配置され、それら２つの端部支持材３２、３３の間に中央支持材３１が配置されている。
【００３３】
端部支持材３２は、中央支持材３１の一方の側方に配置され、連結材１２０および図示しないネジを介して中央支持材３１に連結されている。端部支持材３３は、中央支持材３１の他方の側方に配置され、連結材１２０および図示しないネジを介して中央支持材３１に連結されている。
【００３４】
中央支持材３１は、天板支持部３４と取付部３５を有する。また、中央支持材３１は、図４、図６に示す延出部３６を有する。
【００３５】
天板支持部３４、取付部３５、および延出部３６は一体に設けられている。取付部３５は壁面ＷＬに対向し、壁面ＷＬに固定される。延出部３６は取付部３５から前方に延出し、延出部３６の先端側に天板支持部３４が設けられている。
【００３６】
取付部３５には複数の開口３９が形成され、これら開口３９を通じて、水栓カウンター１０内の水栓ユニット５０と、外部配管とが接続される。
【００３７】
一方の端部支持材３２は、天板支持部３７と係合部４１、４２を有し、これらは一体に設けられている。係合部４１、４２は、天板支持部３７の後方側で下方に延びる薄板状に設けられている。２つの係合部４１、４２が、横方向に離間して設けられている。
【００３８】
他方の端部支持材３３も、天板支持部３８と係合部４３、４４を有し、これらは一体に設けられている。係合部４３、４４は、天板支持部３８の後方側で下方に延びる薄板状に設けられている。２つの係合部４３、４４が、横方向に離間して設けられている。
【００３９】
次に、カバー８０について説明する。
【００４０】
図５、図６に示すように、カバー８０は、前面８１、側面８２、下面８３、および後面８４を有する。さらに、後面８４には、端部支持材３２、３３の係合部４１〜４４が係合する被係合部としてのリブ９１が設けられている。これら要素を含むカバー８０は、例えば樹脂材料で一体的に成形されている。
【００４１】
カバー８０の後方側には切欠部８５が形成され、その切欠部８５を挟んで２つの後面８４が横方向に離間して設けられている。
【００４２】
１つの後面８４に例えば４つのリブ９１が互いに横方向に離間して設けられている。リブ９１は、後面８４の内面から前方に突出しつつ左または右に折れ曲がった断面Ｌ字状に形成されている。
【００４３】
支持材３０における少なくとも係合部４１〜４４は、カバー８０における少なくとも後面８４よりも剛性が高い。実施形態によれば、例えば、カバー８０の材料よりも弾性率が大きい材料を支持材３０の材料として使うことで、支持材３０の剛性をカバー８０よりも高くしている。より具体的には、カバー８０を樹脂材料で形成し、支持材３０（中央支持材３１、および端部支持材３２、３３）を金属材料（例えばステンレス）で形成することで、係合部４１〜４４も含めた支持材３０の剛性をカバー８０よりも高くしている。したがって、支持材３０（係合部４１〜４４）の方が、カバー８０（後面８４）よりも温度変化や外力によって変形しにくい（変形量が小さい）。
【００４４】
なお、支持材３０（係合部４１〜４４）の材料として、カバー８０（後面８４）の樹脂材料よりも弾性率が大きい樹脂材料を使うことで、支持材３０（係合部４１〜４４）の剛性をカバー８０（後面８４）よりも高くしてもよい。または、支持材３０（係合部４１〜４４）とカバー８０（後面８４）を同じ材料で形成し、支持材３０（係合部４１〜４４）の厚さをカバー８０（後面８４）の厚さよりも厚くすることで、支持材３０（係合部４１〜４４）の剛性をカバー８０（後面８４）よりも高くしてもよい。
【００４５】
また、平板状の係合部４１〜４４を例えば波形にするなど形状の工夫によって、係合部４１〜４４の剛性をカバー８０（後面８４）よりも高くしてもよい。
【００４６】
操作ユニット６０は、２つの端部支持材３２、３３のうちの端部支持材３２に対して取り付けられる。
【００４７】
図８は、その端部支持材３２の斜視図である。
【００４８】
端部支持材３２における前端側には、天板支持部３７から下方に突出した例えば２つの凸部５２が設けられている。それら２つの凸部５２の間に凹部５３が形成されている。天板支持部３７の前端側に形成された２本のフィンガー状に延びる部分を下方に折り曲げ加工することで、凸部５２および凹部５３が形成される。
【００４９】
図９は、操作ユニット６０の斜視図である。
【００５０】
操作ユニット６０は、２つの操作部６１、６２が取り付けられる取付部６５を有する。取付部６５は端部支持材３２に対して固定される。２つの操作部６１、６２はそれぞれ独立して押し込み操作可能に、取付部６５に対して取り付けられる。
【００５１】
取付部６５の上面には２つの凹部６７が設けられている。さらに、２つの凹部６７の間に凸部６６が設けられている。凹部６７および凸部６６は操作部６１、６２の後端よりも後方に位置し、操作部６１、６２は凹部６７および凸部６６を覆っていない。
【００５２】
凸部６６は、操作部６１、６２の左右幅のセンター（図９において操作部６１の左側面と操作部６２の右側面との間の距離（幅）Ｄ１を２等分する位置）に位置する。
【００５３】
操作ユニット６０が端部支持材３２に取り付けられた状態で、図１０（ｂ）に示すように、操作ユニット６０の凸部６６と、端部支持材３２の凹部５３は係合する。
【００５４】
図１０（ａ）は水栓カウンター１０の上面図であり、図１０（ｂ）は図１０（ａ）におけるＡ−Ａ断面部の拡大斜視図である。
【００５５】
この凸部６６と凹部５３の係合により、操作ユニット６０の左右方向の移動が規制され、操作ユニット６０は端部支持材３２に対して左右方向に位置決めされる。
【００５６】
端部支持材３２の凹部５３の両側に形成された２つの凸部５２は、それぞれ、操作ユニット６０の凸部６６の両側に形成された２つの凹部６７に嵌まる。
【００５７】
次に、図１１〜図１４を参照して、実施形態の水栓カウンター１０の組み立て方法について説明する。
【００５８】
図１１に示すように、天板２１は、端部支持材３２、３３の天板支持部３７、３８の上面に図示しないネジで固定される。
【００５９】
このとき、端部支持材３２は、天板２１に対して左右方向に相対位置を調整可能となっている。すなわち、端部支持材３２の天板２１に対する取り付け可能位置は左右方向に幅をもっている。治具２００を用いて、端部支持材３２は天板２１に対して位置決めされる。
【００６０】
図１２は、治具２００によって天板２１に対して位置決めされた端部支持材３２の平面図である。  
図１３は、治具２００の斜視図である。
【００６１】
図１３に示す治具２００の一対の側面２０３間の距離（幅）Ｄ２は、図９に示す操作部６１、６２の左右幅（操作部６１の左側面と操作部６２の右側面との間の距離）Ｄ１と同じである。治具２００において、その側面２０３間の距離Ｄ２を２等分する位置に突出部２０１が設けられている。
【００６２】
治具２００は側面２０３に連続して形成された前面２０２を有し、突出部２０１は前面２０２よりも治具２００の外側にも突出している。
【００６３】
治具２００は、その左右の側面２０３を天板２１の切欠部２１ａの左右の側端に対向させて、切欠部２１ａに嵌め込まれる。また、治具２００の前面２０２を、切欠部２１ａの後端２１ｂ（図１２、図１４に示す）に当接させる。
【００６４】
治具２００の左右の側面２０３をそれぞれ切欠部２１ａの左右の側端に当接させる、または、治具２００の一方の側面２０３と切欠部２１ａの一方の側端との間の隙間と、治具２００の他方の側面２０３と切欠部２１ａの他方の側端との間の隙間とが同じになるようにする。これにより、切欠部２１ａに対して、治具２００の左右方向の相対位置が位置決めされる。
【００６５】
また、治具２００の前面２０２が切欠部２１ａの後端２１ｂに当接することで、切欠部２１ａに対して治具２００の前後方向の相対位置が位置決めされる。
【００６６】
このように切欠部２１ａに対して治具２００が位置決めされた状態において、左右の側面２０３間の距離（幅）Ｄ２のセンターに位置する突出部２０１は、切欠部２１ａの左右幅のセンターに位置することになる。
【００６７】
その治具２００の突出部２０１に対して、図１１、図１２に示すように、端部支持材３２の凹部５３が嵌め込まれる。これにより、治具２００に対して端部支持材３２の左右方向の相対位置が位置決めされる。すなわち、切欠部２１ａに対して端部支持材３２の左右方向の相対位置が位置決めされる。したがって、端部支持材２１の凹部５３が、切欠部２１ａの左右幅のセンターに位置する。
【００６８】
また、端部支持材３２における図８に示す前端５５を、切欠部２１ａに嵌め込まれた治具２００の前面２０２に当接させる。これにより、治具２００に対して端部支持材３２の前後方向の相対位置が位置決めされる。すなわち、切欠部２１ａに対して端部支持材３２の前後方向の相対位置が位置決めされる。
【００６９】
治具２００の前面２０２は、前述したように、切欠部２１ａの後端２１ｂに当接している。したがって、図１４に示すように、端部支持材３２の前端５５と、切欠部２１ａの後端２１ｂとが同一面上に揃う。
【００７０】
図１２に示すように、端部支持材３２には例えば４つの貫通孔１３７が形成されている。一方、天板２１の下面には少し盛り上がった例えば４つのボス部が設けられ、そのボス部にネジ孔１２１が形成されている。ネジ孔１２１は天板２１を貫通していない。
【００７１】
治具２００によって位置決めされた状態で、端部支持材３２の貫通孔１３７は天板２１のネジ孔１２１に重ね合わされ、ネジ孔１２１に図示しないネジが締め込まれる。これにより、端部支持材３２は、切欠部２１ａに対して所定位置に位置決めされた状態で、天板２１に固定される。
【００７２】
樹脂材料からなる天板２１の成形時の寸法誤差などにより、切欠部２１ａに嵌め込まれた治具２００の突出部２０１の左右方向の位置がばらつき、その突出部２０１に凹部５３が係合する端部支持材３２の、ネジ孔１２１に対する左右方向の取付位置もばらつく場合があり得る。
【００７３】
ここで、端部支持材３２の貫通孔１３７の直径は天板２１のネジ孔１２１よりもわずかに大きいため、位置決めされた端部支持材３２の取り付け位置が左右方向に若干ばらついても、貫通孔１３７をネジ孔１２１に重ねることができる。
【００７４】
天板２１の寸法誤差は生じたとしてもわずかであり、それに伴う端部支持材３２の左右方向の取り付け位置のばらつき、すなわち貫通孔１３７がネジ孔１２１に対してずれる量は、ネジの締め込みが不可能にならない範囲内のわずかな量である。
【００７５】
また、貫通孔１３７を例えば左右方向に延びる長孔にすることで、端部支持材３２の左右方向の取り付け位置がばらついても、貫通孔１３７を貫通させてネジをネジ孔１２１に締め込むことができる。
【００７６】
天板２１と端部支持材３２、３３とを組み付けた後、図１４に示すように、側面パネル２２ａ、２２ｂが端部支持材３２、３３に対して図示しないネジで固定される。
【００７７】
一対の側面パネル２２ａ、２２ｂは、天板２１の切欠部２１ａに重ならないよう、且つ切欠部２１ａ側の端の位置を切欠部２１ａの側端の位置に一致させて、横方向に離間して配置される。
【００７８】
この側面パネル２２ａ、２２ｂの離間配置により、天板２１の切欠部２１ａの下方に側面パネル２２ａ、２２ｂの切欠部２４が形成される。これら切欠部２１ａおよび切欠部２４は、天板２１と側面パネル２２ａ、２２ｂとを合わせた上部材２０の切欠部を構成する。
【００７９】
次に、操作ユニット６０およびサーモユニット７０を含む水栓ユニット５０が、端部支持材３２、３３の天板支持部３７、３８の下面に図示しないネジで固定される。水栓ユニット５０は天板２１の下方に配置される。
【００８０】
このとき、操作ユニット６０は、図１０（ｂ）に示すように、その凸部６６が端部支持材３２の凹部５３に係合することで、端部支持材３２に対して左右方向の相対位置が位置決めされる。
【００８１】
前述したように、端部支持材３２の凹部５３は、切欠部２１ａの左右幅のセンターに位置決めされている。その凹部５３に係合する操作ユニット６０の凸部６６も、操作部６１、６２の左右幅のセンターに位置することになる。したがって、操作部６１、６２の左右幅（図９に示すＤ１）のセンター位置を、切欠部２１ａの左右幅のセンター位置に合わせることができる。
【００８２】
それぞれの側面パネル２２ａ、２２ｂにおける天板２１の切欠部２１ａ側の端は、切欠部２１ａの左右の側端に一致するよう位置決めされている。したがって、操作部６１、６２の左右幅のセンター位置を、側面パネル２２ａ、２２ｂの切欠部２４の左右幅のセンター位置にも合わせることができる。
【００８３】
すなわち、操作部６１、６２の左右幅のセンター位置を、それら操作部６１、６２を露出させる上部材２０の切欠部の左右幅のセンター位置に合わせることができる。
【００８４】
例えば比較例として、天板２１に対する端部支持材３２のネジ止め位置を左右方向に調整できない場合、その端部支持材３２に対して取り付けられる操作ユニット６０は、天板２１に対してある特定の１つの取り付け位置に固定されてしまう。操作部６１、６２と切欠部２１ａとの相対位置は、天板２１のネジ孔１２１の位置に依存してしまう。この場合、切欠部２１ａの寸法誤差などにより、操作部６１、６２の側面が上部材２０の切欠部に当たってしまうことが起こり得る。
【００８５】
これに対して実施形態によれば、切欠部２１ａに対して凹部５３が所定位置（例えば切欠部２１ａの左右幅のセンター）に位置するように、端部支持材３２を適宜左右に位置を調整して天板２１に固定できる。その端部支持材３２の凹部５３に操作ユニット６０の凸部６６を係合させることで、結果として、切欠部２１ａに対して適切な位置に操作部６１、６２が位置決めされる。
【００８６】
したがって、天板２１の樹脂成形の寸法誤差を見込んで切欠部２１ａの左右幅を操作部６１、６２の左右幅よりもそれほど大きくしなくても、操作部６１、６２の左右の側面と、切欠部２１ａ、２４の左右の側端との間に、操作部６１、６２が上部材２０と干渉しないような適切なクリアランスを確保することができる。操作部６１、６２の左右の側面と、切欠部２１ａ、２４の左右の側端との間に見栄えを損ねる大きなクリアランスが形成されない。よって、水栓カウンター１０の外観を悪化させないようにしつつ、操作部６１、６２の操作性が低下してしまうことを防止できる。
【００８７】
端部支持材３２を使わずに、操作ユニット６０を天板２１に直接固定することもできる。その場合も、例えば天板２１の切欠部２１ａの左右幅のセンターに、操作部６１、６２の左右幅のセンターが位置するように、操作ユニット６０の天板２１に対する左右方向の相対位置を調整して、操作ユニット６０は天板２１に固定される。
【００８８】
なお、例えば樹脂材料からなる天板２１に操作ユニット６０を直接固定した場合、操作ユニット６０の重量で天板２１が撓み、天板２１の上面に付着した水の水はけが悪くなってしまうおそれがある。
【００８９】
これに対して、実施形態によれば、操作ユニット６０は、上部材２０に対する左右方向の相対位置を調整可能なように、端部支持材３２を介して上部材２０に間接的に固定されている。例えば、金属（例えばステンレス）材料からなり、樹脂材料からなる天板２１よりも剛性の高い端部支持材３２に操作ユニット６０を固定しているため、天板２１の撓みを防ぐことができる。
【００９０】
以上説明した実施形態では、操作ユニット６０は端部支持材３２に対しては左右方向の相対位置の調整幅はもたないが、操作ユニット６０を端部支持材３２に対して左右方向に相対位置を調整可能に端部支持材３２に固定してもよい。端部支持材３２の切欠部２１ａに対する左右方向の相対位置の調整と合わせて、操作部６１、６２の切欠部２１ａに対する左右方向の相対位置を高精度に調整できる。また、端部支持材３２や操作ユニット６０の寸法ばらつきも吸収できる。
【００９１】
なお、端部支持材３２を天板２１に対して左右方向に相対位置を調整可能に天板２１に固定する、または、操作ユニット６０を端部支持材３２に対して左右方向に相対位置を調整可能に端部支持材３２に固定する、のいずれか一方のみとすると、端部支持材３２を天板２１に対して左右方向に相対位置を調整する、または、操作ユニット６０を端部支持材２１に対して左右方向に相対位置を調整する、のいずれか一方のみを調整すればよいため、調整の手間を軽減させることができ、操作ユニット６０の取り付け作業性を向上できる。
【００９２】
端部支持材３２を天板２１に対して相対位置を調整可能にすること、および操作ユニット６０を端部支持材３２に対して相対位置を調整可能にすることのいずれか一方だけを調整するにあたって、上記実施形態では、複数のバルブ等を内蔵させるなど、その構造が複雑になり、重量も重くなりやすい操作ユニットに比べ、簡単な構造をとりやすい端部支持材２１を、天板２１に対して左右方向の相対位置を調整可能に固定しているため、位置調整をしやすい。
【００９３】
また、図１０（ｂ）に示すような凹部５３と凸部６６の係合は、簡単な構造で操作ユニット６０を端部支持材３２に対して位置決めできる。
【００９４】
図１５（ａ）は、比較例における操作部６１、６２と天板２１の切欠部２１ａとの位置関係を示す模式側面図である。
【００９５】
図１５（ａ）には、天板２１の切欠部２１ａの後端２１ｂの下方が面取りされている（切り欠かれている）形態を示す。この場合、操作ユニット６０の取り付け高さによっては、操作部６１、６２の後方に設けられた当て部材６６を切欠部２１ａの後端２１ｂに当てることができないことが起こり得る。その場合、操作部６１、６２と切欠部２１ａの後端２１ｂとの間に十分なクリアランスが確保できずに、操作部６１、６２の可動により操作部６１、６２の後部が切欠部２１ａの後端２１ｂに当たり、操作性を低下させてしまうことになる。
【００９６】
これに対して、実施形態によれば、図１４を参照して前述したように、端部支持材３２の前端５５と、切欠部２１ａの後端２１ｂとが同一面上に揃うように、端部支持材３２の前後方向の位置を位置決めすることができる。
【００９７】
したがって、図１５（ｂ）に示すように、切欠部２１ａの後端２１ｂの下方が面取りされていたとしても、その後端２１ｂの下に位置する端部支持材３２の前端５５に、操作ユニット６０の当て部材６６を当接させることができる。この当接により、操作部６１、６２の後方に、操作部６１、６２が操作されても切欠部２１ａの後端２１ｂに当たらないクリアランスを確保することができる。
【００９８】
以上説明したようにして、上部材２０（天板２１および側面パネル２２ａ、２２ｂ）、端部支持材３２、３３、および水栓ユニット５０が互いに組み付けられる。一方、中央支持材３１の取付部３５は壁面ＷＬに図示しないネジで固定される。そして、壁面ＷＬに固定された中央支持材３１に対して、図１４に示す要素が互いに組み付けられた（仮）ユニットを取り付ける。
【００９９】
図７に示すように、端部支持材３２は係合部４１の隣に、係合部４１、４２と同様に天板支持部３７から下方に延びる薄板状の取付部４５を有している。端部支持材３３も係合部４３の隣に、係合部４３、４４と同様に天板支持部３８から下方に延びる薄板状の取付部４６を有している。その取付部４５、４６に対して、中央支持材３１を図７に示す連結材１２０および図示しないネジを介して連結する。さらに、図１４に示す天板２１における端部支持材３２、３３の間の部分が、中央支持材３１の天板支持部３４に図示しないネジで固定される。
【０１００】
端部支持材３２、３３の天板支持部３７、３８および中央支持材３１の天板支持部３４の後端は壁面ＷＬから前方に離間し、それら天板支持部３４、３７、３８上に支持された天板２１の後端も壁面ＷＬから前方に離間している。
【０１０１】
このようにして、水栓カウンター１０におけるカバー８０を除く要素が壁面ＷＬに対して取り付けられる。そして、壁面ＷＬに取り付けられたこのユニットに対して、下方からカバー８０を取り付ける。
【０１０２】
図５に示すように、カバー８０の前面８１には上方に突出する爪部８６が設けられている。その爪部８６を、側面パネル２２ａ、２２ｂに形成された図示しない係合孔に差し込んで係合させることで、カバー８０が取り付けられる。また、カバー８０における下面８３の後端側に設けられた図６に示すボス部８７が、中央支持材３１に設けられた図７に示すカバー固定部５９に対して図示しないネジで固定される。
【０１０３】
カバー８０の前面８１、側面８２、および下面８３は、それぞれ、天板２１の下方に配置された水栓ユニット５０の前方、側方、および下方を覆う。
【０１０４】
また、カバー８０の後方側には、中央支持材３１の延出部３６に干渉しないように切欠部８５が形成されている。延出部３６がその切欠部８５を貫通するようにカバー８０が下方から取り付けられる。延出部３６の横幅は天板２１の横幅よりも小さく、その延出部３６の側方における水栓ユニット５０の後方は、カバー８０の後面８４で覆われる。
【０１０５】
カバー８０の後面８４には、図５に示すように、例えば断面Ｌ字状の縦長のリブ９１が形成されており、その断面Ｌ字状のリブ９１に対して、端部支持材３２、３３に設けられた薄板状の係合部４１〜４４の左右の端部を係合する（挿入する）。
【０１０６】
中央支持材３１と、カバー８０の後面８４との間の隙間は、図３に示すように、支持材カバー１１０によって覆われる。
【０１０７】
カバー８０よりも剛性が高い支持材３０の係合部４１〜４４がカバー８０の後面８４の被係合部（リブ９１）に係合している。このような係合部４１〜４４は、温度変化や清掃時に作用する外力によってカバー８０の後面８４が前後方向に変形しようとしても、その変形を抑制する。このカバー８０の後面８４の変形の抑制は、水栓カウンター１０の外観の悪化を防止する。
【０１０８】
以上、具体例を参照しつつ本発明の実施形態について説明した。しかし、本発明は、それらに限定されるものではなく、本発明の技術的思想に基づいて種々の変形が可能である。
【符号の説明】
【０１０９】
１０…水栓カウンター、２０…上部材、２１…天板、２１ａ，２４…切欠部、３０…支持材、３１…中央支持材、３２，３３…端部支持材、５０…水栓ユニット、５３…凹部、６０…操作ユニット、６１，６２…操作部、６６…凸部、７０…サーモユニット、８０…カバー
【図１】
2018035566.tif 000003
【図２】
2018035566.tif 000004
【図３】
2018035566.tif 000005
【図４】
2018035566.tif 000006
【図５】
2018035566.tif 000007
【図６】
2018035566.tif 000008
【図７】
2018035566.tif 000009
【図８】
2018035566.tif 000010
【図９】
2018035566.tif 000011
【図１０】
2018035566.tif 000012
【図１１】
2018035566.tif 000013
【図１２】
2018035566.tif 000014
【図１３】
2018035566.tif 000015
【図１４】
2018035566.tif 000016
【図１５】
2018035566.tif 000017